(57)【要約】【目的】本発明は、特に多床室の病室を各ベッドごとに個別に空調するファンコイルユニットに関するものでり、簡単な構造で、安価に製作出来、各被空調空間に対応した風量設定が容易にでき、病室内に適切な風量分布を創り出せるファンコイルユニットを提供する事を目的とする。【構成】機体内部に吸い込まれた空気を複数の被空調空間に給気するファンコイルユニットであって、複数の被空調空間は複数の個別空間と共用空間よりなり、複数の個別空間に対応する分岐用吹出孔にはファンコイルユニットの設置時に調節する分岐用風量調節ダンパーが設けられ、共用空間に対応する共用吹出孔には共用空間から操作可能な共用風量調節ダンパーが設けられているものである。【選択図】    図２
2004278823.tif 000002
【特許請求の範囲】
【請求項１】
機体内部に吸い込まれた空気を複数の被空調空間に給気するファンコイルユニットであって、複数の被空調空間は複数の個別空間と共用空間よりなり、複数の個別空間に対応する分岐用吹出口にはファンコイルユニットの設置時に調節する分岐用風量調節ダンパーが設けられ、共用空間に対応する共用吹出口には共用空間から操作可能な共用風量調節ダンパーが設けられている事を特徴とするファンコイルユニット。
【請求項２】
分岐用風量調節ダンパーは上下方向にスライド自在に設けられ、共用風量調節ダンパーは水平方向にスライド自在に設けられていることを特徴とする請求項１に記載のファンコイルユニット。
【発明の詳細な説明】
【０００１】
【発明の属する技術分野】
本発明は、特に多床室の病室の各ベッドを個別に空調するファンコイルユニットに関するものである。
【０００２】
【従来の技術】
従来、一つの空調機で、複数のベッド（複数の個別空間）と通路等の共用スペース（共用空間）からなる被空調空間を空調する場合、空調機の機体内に熱交換コイルを設けた熱交換室と、この熱交換室と連通する個別空間と共用空間に対応した複数の分流路とを形成し、この各分流路に熱交換室から分流路の向かう方向に空気を送る各分流路に対応した複数の送風機と、上記被空調空間からの逆流を防止するダンパー機構を設けた構成のファンコイルユニットが提供されている。（例えば特許文献１参照。）
【０００３】
上記構成によると、被空調空間に対応した空調の個別制御が可能であるが、ベッド数等によって送風機（モーター）の増加が余儀なくされ、コスト高になることはもちろん、騒音が増大し、ユニットサイズが大型化する欠点があった。
【０００４】
【特許文献１】
特許第２９３０２９５号公報
【０００５】
【発明が解決しようとする課題】
本発明は、簡単な構造で、安価に製作出来、各被空調空間に対応した風量設定が容易で、病室内に適切な風量分布を創り出せるファンコイルユニットを提供する事を課題とする。
【０００６】
【課題を解決する為の手段】
上記課題を解決する為、本発明が手段とする第１の特徴は、機体内部に吸い込まれた空気を複数の被空調空間に個別に給気するファンコイルユニットであって、複数の被空調空間は複数の個別空間と共用空間よりなり、複数の個別空間に対応する分岐用吹出口にはファンコイルユニットの設置時に調節する分岐用風量調節ダンパーが設けられ、共用吹出口には共用空間から操作可能な共用風量調節ダンパーが設けられているものである。
【０００７】
次に、本発明が手段とする第２の特徴は、前記第１の特徴に加え、分岐用風量調節ダンパーは上下方向にスライド自在に設けられ、共用風量調節ダンパーは水平方向にスライド自在に設けられているものである。
【０００８】
【実施例】
以下、添付図面に基いて実施例を説明する。
図１において、符号１０は本発明ファンコイルユニットを示している。
ファンコイルユニット１０は、天井内に据付けられる機体１と、機体１の下方で天井の室内側に位置する化粧パネル部５より構成されている。
符号１００・・・は分岐用のフレキシブルダクトを示し、符号４はファンコイルユニットのスイッチ（リモコン）を示し、符号４１はスイッチ（リモコン）４のコントロール盤を示し、符号４２は結露水の水抜き部を示し、符号４３、４４は熱交換コイルの給排水管を示している。
【０００９】
機体１は左右側板１１、１１、前後側板１２、１２と、上面板１３から形成された下方が開口する箱型をなしている。
そして、機体１内の上部に左右に所定間隔を有して２つの熱交換コイル１４、１４が平行に配設され、熱交換コイル１４、１４の下方にドレンパン１５、１５が配設され、ドレンパン１５、１５間の下方に、空気漏れを防ぐ為に仕切板１６が配設され、仕切板１６の下方に送風機１７が配設され、吸込んだ空気を上方向けて吹出す送風機吹出口１７１を仕切板１６の上方に臨ませている。
符号１６１は、送風機１７のモーター１７０の取付け板を示している。
【００１０】
そして、機体１の左右側板１１、１１の内側に所定間隔を有して、左右側板１１、１１と平行に内側仕切壁１８、１８が配設されて、機体１と仕切板１６と内側仕切板１８、１８で、吹出部２０が形成され、仕切板１６と内側仕切板１８、１８と前後板１２，１２で吸込部３０が形成される。
又、左右側板１１、１１の上部に、被空調空間の個別空間（病室のカーテン等で区画された患者のベッド廻り）の数に対応して複数個の分岐用吹出口２５・・・が形成され、分岐用吹出口２５・・・の外側にはフレキシブルダクト１００が取り付けられ、機体の内側には分岐用風量調節ダンパー６が設けられている。
【００１１】
一方、内側仕切板１８、１８と左右側板１１、１１間の下端部には、長手方向中央部に共用吹出口２６、２６を有する下部仕切板１９、１９が配設され、共用吹出口２６には共用風量調節ダンパー７が設けられている。
そして、モーター１７０にて駆動する送風機１７より送り出された空気は、熱交換コイル１４、１４を通過して調和空気となり、分岐用吹出口２５・・・と共用吹出口２６、２６から吹出され、分岐用吹出口２５・・・から吹出された調和空気はフレキシブルダクト１００・・・にて個別空間（病室のカーテン等で区画された患者のベッド廻り）に導かれる。
【００１２】
化粧パネル部５は、周部上面が天井面の室内側に当接する外枠体５１と、外枠体５１の左右端部と所定間隔を有して内側に配設され、機体１の左右側板１１、１１と内側仕切板１８、１８間に連通する吹出溝５２、５２が形成され、フィルター５３が設けられた内枠体５４と、内枠体５４の左右端部と所定間隔を有して配設され、吸込部３０に連通する吸込溝５５、５５となした着脱パネル５６より構成されている。
すなわち、共用吹出口２６、２６より吹出された調和空気は、吹出溝５２、５２より被空調空間の共用空間（病室内の通路等）に拡散して吹出される。
【００１３】
前記、分岐用風量調節ダンパー６は、左右側板１１、１１の内面に形成されたダンパー保持部材６１、６１に上下方向にスライド自在で、任意位置で停止可能に保持され、下端部に連設した操作レバー６２の端部を内側仕切１８のスリット１８１を挿通して吸込部３０内に臨ませ、操作レバー６２を上下動させることに分岐用吹出口２５の閉塞状態を調節可能となし、風量を調節している。
【００１４】
一方、共有用風量調節ダンパー７は、下部仕切板１９の上面に位置して、共用吹出口２６に沿って水平方向にスライド自在で、任意位置で停止可能に保持され、共用吹出口２６の長手方向に対向して配設され、共用吹出口２６の長手方向中央部側端部下面に操作レバー７１が吹出溝５２、５２内に突出して連設されている。
そして、操作レバー７１を水平方向に動かせて共用吹出口２６の閉塞状態を調節可能となし、風量を調節している。
【００１５】
本発明は、上記の如く構成され、複数の個別空間に対するフレキシブルダクト１００・・・延設距離、及び共用空間（病室の通路等）の位置を考慮し、共用空間の天井部に設置される。
この時、フレキシブルダクト１００・・・個別空間の位置（延設距離が短いと分岐吹出口２５から吹出された調和空気は初期の設定温度を維持し易いが、長くなると維持するのが難しい）、あるいは個別空間の環境（窓際は外気の影響を受けやすく、廊下側は屋内空調の影響を受けやすい。）によって、空調環境が異なり、分岐吹出口２５・・・からの吹出し風量が同じであれば、病室内での負荷に応じた適切な温度分布を創り出す事ができなかった。
したがって、上記空調環境に応じて、分岐用風量調節ダンパー１６を調節し、それぞれの分岐用吹出口２５・・・からの吹出し風量を異ならしめ、病室内の負荷に応じた適切な温度分布を創り出しこの状態で分岐用風量調節ダンパー１６・・・を固定する。
次に、ファンコイルユニット１の設置後、吹出溝５２、５２内より、共有用風量調節ダンパー７を調節して、共用吹出口２６、２６からの吹出し風量を調節して適宜な環境を得る事が可能である。
【００１６】
【発明の効果】
特許請求の範囲の請求項１に記載の発明によれば、分岐用吹出口にファンコイルユニットの設置時に調節する分岐用風量調節ダンパーが設けられているので、ファンコイルの設定時に、病室内の個別空間のそれぞれの環境に応じた適切な温度分布を得る事ができ、しかも、共用空間に対しては、その都度共有用風量調節ダンパーを調節して、適宜な環境を得る事が可能である。
特許請求の範囲の請求項２に記載の発明によれば、共用風量調節ダンパーが水平方向にスライド自在に設けられているので、共用吹出口の開閉具合が下方から目視でき調節が容易である。
又、分岐用吹出口の位置は下方から目視確認できず、又、分岐用風量調節ダンパーも、上下方向にスライド自在にもうけられているので、分岐用風量調節ダンパーの位置の確認も困難であるから、使用者が簡単に風量分布を変えることができず、初期の適切な設定環境を維持することが出来る。
【図面の簡単な説明】
【図１】本発明の正面図
【図２】本発明の要部拡大縦断面図
【図３】図２のＡ−Ａ線断面図
【符号の説明】
１              機体
１０            ファンコイルユニット
１４            熱交換コイル
１６            仕切板
１７            送風機
２５            分岐用吹出口
２６            共用吹出口
６              分岐用風量調節ダンパー
７              共用風量調節ダンパー
【図１】
2004278823.tif 000003
【図２】
2004278823.tif 000004
【図３】
2004278823.tif 000005